(57)【要約】  【課題】正確な字体の数字による得点表示が可能なスコアボードの提供。  【解決手段】  数字を構成する複数のセグメント部分９に明色系着色層１０が形成され、該セグメント部分の周囲領域に暗色系着色層１１を形成した表示面５と、該表示面の下層に形成された鉄系金属薄層４と、上記表示面の上記セグメント部分を覆う形状を有しかつ表面に上記暗色系着色層と同色の着色層が施された可撓性マグネットシートよるなるセグメント被覆片３からなり該セグメント被覆片にて任意の上記セグメント部分を覆って該セグメント部分を周囲領域と同色とし、残余の上記セグメント部分にて任意の数字を表示する。  【選択図】  図１
2005087582.tif 000002
【特許請求の範囲】
【請求項１】
数字を構成する複数のセグメント部分に明色系着色層を形成するとともに、該セグメント部分の周囲領域に暗色系着色層を形成した表示面と、該表示面の下層に形成された鉄系金属薄層と、上記表示面の上記セグメント部分を覆う形状を有するとともに表面に上記暗色系着色層と同色の着色層が施された可撓性マグネットシートよるなるセグメント被覆片とからなり、該セグメント被覆片にて任意の上記セグメント部分を覆って該セグメント部分を周囲領域と同色とし、残余の上記セグメント部分にて任意の数字を表示することを特徴とするスコアボード
【請求項２】
上記表示面が、対戦する２チームまたは２者の得点を表示する2つの表示領域よりなり、該表示領域の上方に上記２チームまたは２者に対応して、明色系着色層よりなる書込み、消去自在な他の表示面が形成されてなることを特徴とする請求項１記載のスコアボード
【発明の詳細な説明】
【技術分野】
【０００１】
本発明は、サッカー等スポーツ競技の得点表示に好適なスコアボードに関する。
【背景技術】
【０００２】
従来、最も単純なスコアボードは、黒板にチーム名、得点記入欄を白線で印刷したもの、あるいは、ホワイトボードに同様の欄を黒線で印刷されたものが使用され、チーム名及び得点は人手により、黒板にあっては白墨、ホワイトボードにあっては黒色のマーカーで記入する方法がとられている。しかしながら、かかる構造では、人手による記入であるため、記入する人によって字体が異なり、乱雑に書かれたときは数字が見にくいこと、またその見栄えも必ずしもよくないこと等の問題があるために、中学校、高等学校等において使用されるスコアボード、あるいはある程度規模の大きな試合に使用されるスコアボードでは、数字の手書きに代えて予め数字セグメント形状に裁断したマグネットシートよりなる分割片を、ボード上に吸着させて所定の数字を構成するスコアボードが使用される。
【０００３】
かかる構造のスコアボードは、例えば特許文献１に開示されている。この特許文献にかかる発明は、野球用スコアボードに関するものであり、黒色表示板にチーム名欄を示す「TN」の英文字、回を示す数字及び得点の合計欄を示す「計」の文字が予め白色で表示されている。この黒色表示板に白色ビニール層を形成した薄膜状の可撓性ゴム磁石からなる単位分割片を複数枚、任意の英文字あるいは数字を構成するごとく吸着させて、チーム名及び得点を白色表示するのである。
【特許文献１】特開昭６３−２４６７８７号
【発明の開示】
【発明が解決しようとする課題】
【０００４】
しかしながら上記構造のスコアボードにあっては、黒色の表示領域に分割片を吸着配置して任意の数字を形成する際、その作業は人手によるものであるから常に正確に配置されるとは限らず、分割片がずれることも起こり得る。かかる場合、表示される数字は、歪んだものになり、見苦しいものになる。分割片を正確に配置できるようにするために、黒色板に配置位置を目立たない線で印刷しておくことも考えられるが、分割片をそれに正確に合わせて配置するのも神経を集中する作業であり、その位置からずれることも多いと推測される。また、使用しない分割片は、表示板から外して保管しなければならず、紛失のおそれがある。
【０００５】
本発明は、このような事情を考慮してなされたものであり、正確な字体の数字表示が可能であり、かつ数字セグメント部分を被覆する被覆片の紛失のおそれを最小限としたスコアボードを実現したものである。
【課題を解決するための手段】
【０００６】
本発明（請求項１）は、数字を構成する複数のセグメント部分に明色系着色層を形成するとともに、該セグメント部分の周囲領域に暗色系着色層を形成した表示面と、該表示面の下層に形成された鉄系金属薄層と、上記表示面の上記セグメント部分を覆う形状を有するとともに表面に上記暗色系着色層と同色の着色層が施された可撓性マグネットシートよるなるセグメント被覆片とからなり、該セグメント被覆片にて任意の上記セグメント部分を覆って該セグメント部分を周囲領域と同色とし、残余の上記セグメント部分にて任意の数字を表示するものである。
【０００７】
かかる構成において、明色系セグメント部分にて任意の数字を構成する場合、使用しないセグメント部分はセグメント被覆片にて被覆され、周囲の暗色系着色層と同色とされる。これにより任意の数字は、被覆片にて被覆されない明色系セグメント部分の組み合わせにてなされる。
【０００８】
本発明（請求項２）においては、上記表示面が、対戦する２チームまたは２者の得点を表示する2つの表示領域よりなり、該表示領域の上方に上記２チームまたは２者に対応して、明色系着色層よりなる書込み、消去自在な他の表示面が形成されてなるものである。かかる構成において、上記他の表示面には、対戦する２チーム名または２人の選手名が人手により記入され、その下方の表示面に対応するチームまたは選手の得点が、前述の方法で表示される。
【発明の効果】
【０００９】
本発明(請求項１)によれば、数字表示は印刷された明色系セグメント部分の組み合わせにてなされるから、セグメント部分がずれ字体が変形することは起こり得ず、常に完全に正確な数字表示がなされる。任意の数字表示に際し、使用しないセグメント部分はセグメント被覆片にて覆われ、かつその被覆操作は簡単である。すなわち被覆片の大きさをセグメント部分より僅か大きめに形成しておくことにより、表示面に無造作に置き、多少位置がずれたとしても、セグメント部分が完全に覆われている限り、数字表示に悪影響を及ぼすことはない。また使用しない被覆片は、暗色着色層領域に適宜吸着させておくことができるから、表示面から外して保管する必要はなく、その紛失のおそれは極めて小さい。
【００１０】
また本発明（請求項２）によれば、得点を表示する表示面の上方に対戦するチーム名または２人の選手名が、人手で記入されるから、英文字、漢字等自由な表記が可能となり、これらの情報を正確に観客等に伝えることができる。またかかる他の表示面では、被覆片は使用されないから、全体の被覆片の数を少なくすることができる。
【発明を実施するための最良の形態】
【００１１】
正確な字体の数字表示が可能であり、かつ数字セグメント部分を被覆する被覆片の紛失のおそれを最小限としたスコアボードを実現したものである。
【実施例１】
【００１２】
１は、サッカー等スポーツ競技の得点を表示するためのスコアボードで、例えばホワイトボードを使用することができる。市販のホワイトボードには磁石が吸着する鉄系金属の薄層が形成されている。またスコアボード1のサイズは、例えば縦（ｈ）慶７５０ｃｍ、幅（ｗ）９００ｃｍ、厚さ（ｔ）１ｃｍという寸法に形成された、観客から十分に見える大きさのものにすると共に、車のトランクなどに入れて持ち運びすることもできる程度の大きさのものとする。
【００１３】
上記スコアボード１は、その断面図を示す図６に示されるように、ボード本体は所要の厚みに形成されたダンボール等の紙層２より成ると共に、その上層部に後述する得点変更部材であるマグネットシート付きのセグメント被覆片３（図３，図７参照）を吸着保持させるための鉄系金属薄層４が形成されている。そしてこの鉄系金属薄層４のあるスコアボード１の表面側に得点を表示させるための表示面５が形成されている。
【００１４】
表示面５は左右に等分割された２つの表示領域７，８に形成され、その各表示領域７，８に数字を構成する複数のセグメント部分９が設けられている。そしてセグメント部分９には明色系着色層１０が形成されている。明色系着色層１０として、白を施すことができる。そして表示面５のこの明色系着色層１０を形成したセグメント部分９の周囲領域には、暗色系着色層１１（図１において斜線表示している）が形成されている。暗色系着色層１１として、黒を施すことができる。上記２つの表示領域７，８には、それぞれ対戦する２チームまたは２者の得点が表示されるものとなっている。なお、図１において、右の表示領域８のセグメント部分９が配置されている下方部分領域が、左上隅以外だけ斜線表示していて他は白色となっているが、この部分も暗色系着色層で実際は斜線表示されるべきものであるが、省略して描いている。
【００１５】
セグメント部分９にて、得点した数字が表示される。その得点表示を変えるために、セグメント部分９と略同じ形状をし、セグメント部分９に覆って取り付けられるようにした可撓性マグネットシート１２よりなるセグメント被覆片３が設けられている。そしてこのセグメント被覆片３は、表面に上記表示面５に施した暗色系着色層１１と同色の着色層が施されている。したがって、任意のセグメント部分９をこれで覆うことにより、覆ったセグメント部分９は周囲領域と同色となり、残余のセグメント部分９にて任意の数字を表示することができる。これにより両チームの得点の表示変えをすることができる。
【００１６】
図７は、数字８を表示する第１および第７セグメント部分９のうちの第７セグメント部分９ｇを、セグメント被覆片３で覆い隠す模様を示している。なお、セグメント被覆片３は、セグメント部分９と同数の１８個用意されている。またセグメント被覆片３はサイズ的にセグメント部分９より少し大きめに形成され、セグメント部分９を十分に覆えるようにされている。すなわちセグメント被覆片３は例えば、図１，２に示すように、Ｘ寸法が１５８ｍｍ，Ｙ寸法が１１２ｍｍ，Ｚ寸法が４６ｍｍであって、Ｘ寸法が１５０ｍｍ，Ｙ寸法が１１０ｍｍ，Ｚ寸法が４０ｍｍとなっているセグメント部分９より大きいものとなっている。また使用しない被覆片３は、図７に示すように、適当な向きにして、暗色着色層１１領域に適宜吸着させておくことができるから、表示面５から外して保管する必要はなく、その紛失のおそれは極めて小さい。
【００１７】
またセグメント部分９で構成される得点の表示領域７，８の上方は、他の表示面となる空白域７ｂ,８ｂとされ、ここに対戦する２チームのチーム名または２者の名前等を表示するようになっている。空白域７ｂ，８ｂは明色系着色よりなり、書き込み、消去自在な表示面に形成されており、マーカー２０等で自由に対戦チーム名等を記すことができる。
【００１８】
なお、表示面５を左右に区切る中央の区切り線部１４は、上方部分では暗色系着色１１に、下方部分では明色系着色１０に形成され、それぞれの表示領域の表示色と明暗対比され区分表示を明確にしている。１５は、スコアボード１の周辺部には嵌着された補強枠で、スコアボード１全体が変形したりしないように強度を高めている。またスコアボード１の上辺には上記補強枠１５を利用して、フック１６，１６などの吊り下げ部材が取り付け固定されており、該フック１６，１６にて競技場周辺のフェンス１７などにスコアボード１を観客に見えるように立てかけ支持することができるようになっている。なお、フック１６はボルト２１などで、補強枠１５に取り付け固定されている。
【００１９】
さらに、スコアボード１の表示面５と反対の裏面側１８には、図３に示すように、サッカーの競技場１９が描かれている。したがって、普段の練習時等にはこのスコアボード１の裏面を使い、指導者等が作戦盤として使用することができる。
【図面の簡単な説明】
【００２０】
【図１】本発明に係るスコアボードの表示面側を示した正面図である。
【図２】スコアボードの数字表示をするセグメント部分を覆い数字を変更させるためのセグメント被覆片を示す図である。
【図３】本発明に係るスコアボードを作戦盤として使用する競技場図が描かれているスコアボード裏面側を示した背面図である。
【図４】本発明に係るスコアボードの右側面図である。
【図５】表示面の得点表示を示すセグメント部分を白色に、セグメント部分の周囲領域を黒色と成し明瞭表示がなされるようにした場合の例を示したスコアボードの正面図である。
【図６】図５におけるＡ−Ａ断面図である。
【図７】セグメント被覆片にて任意のセグメント部分を覆い、得点表示を変更する作業を示した図である。
【図８】スコアボードの上辺に有するスコアボード吊り下げ支持用フックの詳細な構造斜視図である。
【符号の説明】
【００２１】
１        スコアボード
２        紙層
３        セグメント被覆片
４        鉄系金属薄層
５        表示面
７，８    表示領域
９        セグメント部分
１０      明色系着色層
１１      暗色系着色層
１６      フック
１９      競技場の図
【図１】
2005087582.tif 000003
【図２】
2005087582.tif 000004
【図３】
2005087582.tif 000005
【図４】
2005087582.tif 000006
【図５】
2005087582.tif 000007
【図６】
2005087582.tif 000008
【図７】
2005087582.tif 000009
【図８】
2005087582.tif 000010